(57)【特許請求の範囲】
【請求項１】
平面視で机の背面に沿って延びる背面板と、平面視で机の側面と同方向の前後方向に延びる複数枚の側板とを備え、前記背面板及び隣合った２枚の側板で囲われた部位に、前後引き出し動自在な抽斗を備えると共に上面には物品を載置できる抽斗ユニットが、天板に載置した低位置と天板の上方に位置した高位置とに高さ変更可能に配置されている棚装置であって、
前記抽斗ユニットは、物品が載る上面板と、その下方に配置した抽斗と、抽斗をその左右両側から前後動自在に支持するために上面板に固着したガイド部材とを備えており、
この抽斗ユニットは、低位置と高位置とのいずれにおいても上面板が上で抽斗が下の姿勢が保持されていると共に、高位置において、抽斗ユニットの左右外側面は側板の左右内側面に重なっており、左右側板のみ又は左右側板と背面板とに前後ずれ不能の状態で着脱自在に取付けられている、
机の棚装置。
【請求項２】
前記背面板は机の背面に高さ調節可能な状態で取付けられるようになっており、該背面板の左右上部にそれぞれ側板を前向きに突設し、前記左右側板の上下中途高さ位置に固定棚板が装着されている一方、
前記高位置での抽斗ユニットは、前記固定棚板の下面に重ねた状態で側板にねじ止めされており、更に、前記固定棚板と抽斗ユニットとに、上向きに開口した灯具用取付け穴を、それら固定棚板の取付け穴と抽斗ユニットの取付け穴とが平面視で重なるように設けている、
請求項１に記載した机の棚装置。
【請求項３】
前記左右側板と背面板とには、前記抽斗ユニットが高位置のときに当該抽斗ユニットの上面と重なる固定棚板が固定されており、前記抽斗ユニットを左右の側板に着脱自在に取付けている一方、前記固定棚板の上面には仕切り板を設けている、
請求項１に記載した机の棚装置。
【発明の詳細な説明】
【０００１】
【発明の属する技術分野】
本発明は、学習机等の机における棚装置に関するものである。
【０００２】
【従来の技術】
学習机の棚装置として本願出願人は、特願平７−２４５０５４号（特開平９−５６４８２号）において、背面板とその上端に設けた左右側板とで囲われた部位に固定棚板を固着する一方、抽斗を備えた補助棚（抽斗ユニット）を、固定天板上に載置した高位置と机の天板に載せた低位置とに自在に高さ変更できるようにして配置することを提案した。
【０００３】
この先願発明によると、補助棚の高さ位置を使用者の好み等に応じて変更することができる。
【０００４】
【発明が解決しようとする課題】
しかし、前記先願発明では、補助棚は高位置においては単に固定棚板に載せたに過ぎないため、地震に際して補助棚が固定棚板から転落しやすい問題があった。また、補助棚を固定棚板に載せると、身長の低い児童にとっては補助棚の高さが高くなり過ぎて、抽斗を操作しずらくなったり、補助棚に書籍等の物品を載せ降ろしにくくなったりすることがある点も問題があった。
【０００５】
本発明は、これらの問題を解消することを目的とするものである。
【０００６】
【課題を解決するための手段】
本願発明は、平面視で机の背面に沿って延びる背面板と、平面視で机の側面と同方向の前後方向に延びる複数枚の側板とを備え、前記背面板及び隣合った２枚の側板で囲われた部位に、前後引き出し動自在な抽斗を備えると共に上面には物品を載置できる抽斗ユニットが、天板に載置した低位置と天板の上方に位置した高位置とに高さ変更可能に配置されている棚装置において、前記抽斗ユニットは、物品が載る上面板と、その下方に配置した抽斗と、抽斗をその左右両側から前後動自在に支持するために上面板に固着したガイド部材とを備えており、この抽斗ユニットは、低位置と高位置とのいずれにおいても上面板が上で抽斗が下の姿勢が保持されていると共に、高位置において、左右側板のみ又は左右側板と背面板とに前後ずれ不能の状態で着脱自在に取付けられている。
【０００７】
【発明の奏する効果】
このように構成すると、抽斗ユニットを高位置にした状態では、抽斗ユニットは前後ずれ不能の状態で背面板又は側板に支持されているから、地震に際して抽斗ユニットが転落することを抑制できる。
また、抽斗ユニットを背面板又は側板に取付けたものであるから、請求項２のように、抽斗ユニットを固定棚板の下面の箇所に設置することができ、その結果、固定棚板と抽斗ユニットとを並設した状態で抽斗ユニットを高位置に設定した場合に、抽斗ユニットの高さが高くなり過ぎて抽斗を操作しにくなる問題や、書籍等の物品を固定棚板に載せ降ろしづらくなる問題を改善できる。
【０００８】
更に請求項２のように構成すると、固定棚板の高さ位置と抽斗ユニットの位置と灯具の位置との三者を使用者の身長や好み等に応じて変更することができるため、使い勝手をより一層向上できる。
【０００９】
【発明の実施形態】
次に、本発明を学習机に適用した実施形態を図面に基づいて説明する。
図１〜図７は第１実施形態であり、このうち図１及び図２は机（学習机）１の斜視図、図３は正面図、図４は図３の一部破断部分拡大図、図５は図３のV-V 断面図である。
【００１０】
机１は天板２と左右一対の脚体３とを備えており、机１の後部には棚装置４を設けている。棚装置４は、机１の背面に重ね合わさった背面板５を備えており、背面板５の左右上端部には左右一対の側板６を固着し、左右側板６間の中途高さ部位に固定棚板７を装架している。固定棚板７には複数枚の仕切り板８を固着している。
【００１１】
背面板５は、その左右両側部を脚体３の後面にねじ（図示せず）で締結されており、ねじの挿入穴９（図１及び図３参照）を上下適宜間隔で複数個ずつ穿設することにより、背面板５を複数段階（例えば３段階）に高さ調節できるようにしている。図１及び図２では背面板５を最も高い位置にした状態を示しており、図６では背面板５を最も低い位置にした状態を示している。
【００１２】
固定棚板７のうち左寄りの部位に、灯具10を取付けるための取付け穴11を設けている。灯具11の下面から突設した支持ピン12を取付け穴11に挿入することにより、灯具10を固定棚板７に取付けることができる。
また、背面板５のうち前記取付け穴11の後方の箇所には、前記灯具10のコード13を挿通するためのコード挿通穴14が開口している。このコード挿通穴14は、コード13に接続したプラグ15を挿入できる大きさに設定している。なお、コード挿通穴14は、撓み変形自在なゴム等の遮蔽膜で塞いでもよい。
【００１３】
固定棚板７の下面の箇所には、当該固定棚板７に密着した状態で抽斗ユニット16を配置している。抽斗ユニット16は、左右側板６間にわたって延びる上面板17と、上面板17の左右両端に固着された左右支持板18と、複数（３個）の抽斗19を備えており、図４に示すように、左右支持板18を側板６に対してねじ20で締結することにより、抽斗19を左右側板６に取り付けている。
【００１４】
図４に例示するように、各抽斗19は、上面板17に固着したガイド部材21で前後動自在に支持されている。また、図５に示すように、左右支持板18の後部下端間に、上面板17と平行に延びる補強桟22を差し渡し固定している。図５に示すように、抽斗ユニット16は固定棚板７の下面に完全に隠れるように設定しており、このため、各抽斗19の鏡板19ａの上端を上面板17の上面よりも若干下方に位置させている。これにより、抽斗ユニット16を机上においた状態で、上面板17の前後幅寸法よりも大きい奥行きの書籍等の物品23を上面板17に載せることができる（図２参照）。
【００１５】
抽斗ユニット16の前面のうち右端寄りの部位にはパネル24を固着し、このパネル24にコンセト25を設けている。なお、図示していないが、背面板５のうちパネル25の後方の箇所に配線用穴を空けている。
また、図２に示すように、抽斗ユニット16における上面板のうち平面視で固定棚板７の取付け穴11と重複する部位には、前記灯具10を取付けるための取付け穴26を設けている。なお、取付け穴11,26 は固定棚板７及び抽斗ユニット16に複数個ずつ設けても良い。また、図１に一点鎖線で示すように、机上に降ろした状態での抽斗ユニット16の取付け穴26に対応して、背面板５にコード挿通穴27を設けても良い。
【００１６】
以上の構成において、図１に示すように、背面板５を高段に設定して、固定棚板７の下面の箇所に抽斗ユニット16を固定し、固定棚板７に灯具10を取付けたり、或いは、図２に示すように、背面板５は高段に設定して、抽斗ユニット16を側板６から取り外して天板２上に載置した低位置とし、抽斗ユニット16を補助棚として使用して書籍等の物品を載せると共に、灯具10を抽斗ユニット16に取付けたり、更には、図６に示すように、抽斗ユニット16を固定棚板７の下面箇所に固定した状態で背面板５を低位置に設定したりと言うように、背面板５の高さと抽斗ユニット16の高さと灯具10の取付け位置とを、使用者（児童・生徒）の身長や好み等に応じて変更することができる。
【００１７】
抽斗ユニット16を側板６から取り外して机上に置く場合、図７に示すように、支持板18等の適宜部位を背面板５にねじ20で固定しても良い。この場合、例えば抽斗ユニット16を左右側板６に２本ずつのねじ20で締結している場合には、その２本ずつのねじ20をそのまま使用して背面板５に締結すると言うように、全てのねじ20を使用することにより、ねじ20の紛失を防止することができる。
【００１８】
実施形態のように灯具10の支持ピン12を固定棚板７と抽斗ユニット16との取付け穴11,26 に挿入すると、灯具10の着脱をワンタッチ的に行えると共に、灯具10を水平回動できるため姿勢変更が容易となる利点がある。
上記の実施形態では抽斗ユニット16を固定棚板７の下面に密着させているが、抽斗ユニット16と固定棚板７との間に適当な間隔の隙間を設けても良いし、抽斗ユニット16を側板６に対して複数段階で高さ調節可能に取付けても良い。
【００１９】
図８に示すのは第２実施形態である。この実施形態では、背面板５と左右の主側板とを天板２上に載置し、左右主側板６の上部間に固定棚板７を装架し、更に、固定棚板７の下方の空間を中間側板６′で仕切った場合において、中間側板６′と一方の主側板６との間に抽斗ユニット16を配置し、高位置の抽斗ユニット16を主側板６及び中間側板６′にねじ止めしたものである。この例より判るように、抽斗ユニット16の横幅は棚装置４の横幅よりも狭くても良い。また、中間側板６′を挟んだ両側に抽斗ユニット16を高さ変更可能に配置しても良い。
【００２０】
図８に示すのは第３実施形態であり、 (A)は正面図、 (B)は (A)の B-B視図である。この実施形態では、抽斗ユニット16の上面に仕切り板８を固定する一方、左右側板６の内側面に、抽斗ユニット16の支持板18を支持する突起28を上下複数対（図面では２対）設けることにより、高位置状態での抽斗ユニット16を側板６に対して複数段階で高さ調節できるようにしている。
【００２１】
この場合、抽斗ユニット16における支持板18の下面に凹所18ａを形成する一方、突起28には、前記凹所18ａに嵌合する凸部28ａを形成することにより、抽斗ユニット16を前後移動不能に保持している。なお、この形態では抽斗ユニット16が棚板を兼用している。
上記の各実施形態では抽斗ユニットを側板に取付けているが、抽斗ユニットは側板と背面板との両方に取付けても良い。
【図面の簡単な説明】
【図１】第１実施形態の斜視図である。
【図２】第１実施形態の斜視図である。
【図３】第１実施形態の正面図である。
【図４】図３の一部破断部分拡大図である。
【図５】図３のV-V 断面図である。
【図６】使用状態を示す正面図である。
【図７】抽斗ユニットを低位置で固定した状態を示す一部破断側面図である。
【図８】第２実施形態を示す図である。
【図９】第３実施形態を示す図である。
【符号の説明】
１  机
２  天板
４  棚装置
５  背面板
６  側板
７  固定棚板
11,26   灯具用の取付け穴
10  灯具
16  抽斗ユニット
18  支持板
19  抽斗
【図１】
0003684288.tif 000002
【図２】
0003684288.tif 000003
【図３】
0003684288.tif 000004
【図４】
0003684288.tif 000005
【図５】
0003684288.tif 000006
【図６】
0003684288.tif 000007
【図７】
0003684288.tif 000008
【図８】
0003684288.tif 000009
【図９】
0003684288.tif 000010